(57)【要約】【課題】  超小型のマイナスイオン発生装置を提供する。また超小型であるにも拘ず、十分に強力なマイナスイオンを得ることができ、また過電圧によるノイズを防止できるマイナスイオン発生装置を提供する。【解決手段】  直流電源をエネルギー源として使用するマイナスイオン発生装置について、昇圧のためのメイントランス２１を有し、その１次側コイルにポンピング回路２２を接続し、２次側コイルには、ポンピング回路２２の通電により発生した高電圧をさらに昇圧する逓倍回路２４を接続するとともに、逓倍回路２４にて昇圧した高電圧を出力するマイナスイオン電極２６を接続し、またメイントランス２１の２次側コイルにアース線２５を接続した構成を有するものとし、また前記のポンピング回路２２の前段に、１次側電圧の安定化のための電圧安定化回路２３を設けるものとする。【選択図】          図２
2007073486.tif 000002
【特許請求の範囲】
【請求項１】
直流電源をエネルギー源とするマイナスイオン発生装置であって、メイントランスの１次側コイルにポンピング回路を接続し、メイントランスの２次側コイルに、ポンピング回路の通電により発生した高電圧をさらに昇圧する逓倍回路を接続するとともに、逓倍回路にて昇圧した高電圧を出力するマイナスイオン電極を接続し、またメイントランスの２次側コイルにアース線を接続した構成を有し、前記ポンピング回路の前段に、１次側電圧の安定化のための電圧安定化回路を設けたことを特徴とするマイナスイオン発生装置。
【請求項２】
ポンピング回路は、エミッターに通じる回路が中間点で接続されるように配置された２個のＮＰＮ型トランジスターを有する請求項１記載のマイナスイオン発生装置。
【請求項３】
電圧安定化回路は、両トランジスターのエミッターに通じる回路に接続されたダイオー
ド、ベースに通じる回路に接続された抵抗、上記ダイオードと抵抗が２次側に接続され、メイントランスの１次側が１次側に接続されるトランスを有している請求項２記載のマイナスイオン発生装置。
【請求項４】
メイントランスの２次側コイルとアース線との間に、順方向にダイオードを挿入した構成を有する請求項１記載のマイナスイオン発生装置。
【請求項５】
直流電源に通じるポンピング回路、電圧安定化回路、メイントランス及び逓倍回路は回路基盤の１面に取り付けられており、かつこれらの回路素子の間のすべての空所に絶縁性の樹脂を充填したことを特徴とする請求項１記載のマイナスイオン発生装置。
【発明の詳細な説明】
【技術分野】
【０００１】
本発明は、直流電源をエネルギー源とするマイナスイオン発生装置に関するものであ
る。
【背景技術】
【０００２】
埃、煙草のけむりや、その他の臭気を除去するために有効であり、或いは美容や健康にも効果があるということから、マイナスイオンが注目を浴びている。このためマイナスイオンを発生させる装置が種々提供され、また開発されつつある。例えば特開２００３−３０８９４６号はオゾン非発生タイプのマイナスイオン発生回路及びそれを用いたマイナスイオン発生器を開示しており、それは直列共振回路をトランスの１次側巻線端子に接続
し、２次側巻線端子にマイナスイオン電極とアース線とを接続した構成を有し、直列共振回路をサイリスタとそのゲート端子に接続する双方向性ダイオードによって構成したことを特徴とする。しかし、この直列共振回路では小型化が可能であるとしても、安定した高周波を得ることが困難と考えられる。また、アース線に２個の消耗抵抗を含むため、オゾンの発生を防ぎマイナスイオンの発生の確実性を高め得るにとどまり、マイナスイオンの出力はかなり低いと思われる。
【０００３】
また、特開２００４−３１１１５８号のマイナスイオン発生器は、発振回路の出力により２個のトランジスターをスイッチングしてパルストランスの１次側電流を断続し、２次側コイルに発生した高電圧を増幅し、その負電圧を印加した負放電電極先端にコロナ放電を発生してマイナスイオンを生成する。しかし、上記のマイナスイオン発生器を例示した回路では２次側コイルに発生した高電圧は顕著なピークを持つものとなり、過電圧によるノイズが発生すると考えられる。また、同発明は灯芯式石油ストーブに備えることを目的としており、小型化のための工夫は特にはなされていない。
【０００４】
【特許文献１】特開２００３−３０８９４６号
【特許文献２】特開２００４−３１１１５８号
【発明の開示】
【発明が解決しようとする課題】
【０００５】
本発明は前記の点に着目してなされたもので、その課題は、手の平に収まる程度に超小型のマイナスイオン発生装置を提供することである。また本発明の他の課題は、十分に高いマイナスイオン出力を得ることができるとともに、過電圧によるノイズを防止することができるマイナスイオン発生装置を提供することである。
【課題を解決するための手段】
【０００６】
前記の課題を解決するため、本発明は直流電源をエネルギー源とするマイナスイオン発生装置についてメイントランスの１次側コイルにポンピング回路を接続し、メイントランスの２次側コイルに、ポンピング回路の通電により発生した高電圧をさらに昇圧する逓倍回路を接続するとともに、逓倍回路にて昇圧した高電圧を出力するマイナスイオン電極を接続し、またメイントランスの２次側コイルにアース線を接続した構成を有し、前記ポンピング回路の前段に、１次側電圧の安定化のための電圧安定化回路を設けるという手段を講じたものである。
【０００７】
本発明のマイナスイオン発生装置は直流電源をエネルギー源とするものであるが、直流電源は、電池電源のほか、家庭電源を整流する電源回路により得られるものであっても良い。このため、電源部には、ＡＣアダプター入力ジャックと、ＡＣ／ＤＣ切り換えスイッチを備えていることが望ましい。直流電源には送風ファンの駆動モーターに電力を供給する回路も接続されている。
【０００８】
本発明の装置は、直流電源から電圧が供給されるポンピング回路を有し、ポンピング回路の出力をメイントランスを介して入力する逓倍回路を有しており、逓倍回路にて昇圧した高電圧はマイナスイオン電極に出力される。ポンピング回路は、エミッターに通じる回路が中間点で接続されるように配置された２個のＮＰＮ型トランジスターから成る構成を有することが望ましく、これによって常時イオン放射が可能となる。
【０００９】
ポンピング回路の前段には、１次側電圧の安定化のための電圧安定化回路を設けてい
る。電圧安定化回路は、両トランジスターのエミッターに通じる回路に接続されたダイオード、ベースに通じる回路に接続された抵抗、上記ダイオードと抵抗が２次側に接続さ
れ、メイントランスの１次側が１次側に接続されるトランスを有している。
【００１０】
そして、メイントランスの２次側コイルとアース線との間に、順方向にダイオードを挿入した構成とすることができる。上記ダイオードによって高昇圧という利点が得られる。また、直流電源に通じるポンピング回路、電圧安定化回路、メイントランス逓倍回路は回路基盤の１面に取り付けられており、かつこれらの回路素子の間のすべての空所に絶縁性の樹脂を充填した状態にあるものとすることができる。これによって、回路素子の相互干渉がなくなり、小型化にも寄与することになる。
【発明の効果】
【００１１】
本発明は以上のように構成されかつ作用するものであるから、全体を例えば鉄道切符程度の大きさの基盤に実装し、装置としても手の平に収まる程度に超小型化したマイナスイオン発生装置を提供することができ、また電圧安定化回路、ポンピング回路による出力電圧をメイントランスを経て逓倍回路により、５００００Ｈｚ前後という理想的な高周波電圧によるマイナスイオンを生成することができるという効果を奏する。
【発明を実施するための最良の形態】
【００１２】
以下図面を参照して本発明をより詳細に説明する。図１は本発明に係るマイナスイオン発生装置１０の１例の配線図、図２は図１の装置の要部回路図を夫々示しており、１１は直流電源を出力する電源部であり、ＡＣ／ＤＣ切り換えスイッチ１２、電源電池１３、ＡＣアダプター入力ジャック１４及びＡＣアダプター１５から成る。電源部１１は送風ファン１６の駆動モーター１７にも通じている。なお、１８はマイナスイオン放出を報知する手段としてのネオン管を示している。ネオン管１８はサージ用としても機能する。
【００１３】
本発明に係る装置１０の要部は図２に例示されており、＋４．５Ｖの直流電源から成る電源部１１には、平滑用コンデンサー１９が並列に挿入されている。電源部１１はメイントランス２１（Ｔ１）の１次側コイルに接続されており、同１次側コイルにはポンピング回路２２と、１次側電圧の安定化のための電圧安定化回路２３が接続されている。ポンピング回路２２は、２個のトランジスターＱ１、Ｑ２を夫々のエミッターに通じる回路が中間点で接続されるように配置したものである。電圧安定化回路２３は、両トランジスターＱ１、Ｑ２のエミッターに通じる回路に接続されたダイオードＤ１と、両トランジスターＱ１、Ｑ２のベースに通じる回路に接続された抵抗Ｒ２、Ｒ３と、上記ダイオードＤ１と抵抗Ｒ２、Ｒ３が２次側に接続され、メイントランス２１の１次側が抵抗Ｒ１を介して１次側に接続されるトランスＴ１を有している。
【００１４】
メイントランス２１の２次側コイルには逓倍回路２４とアース線２５とが接続されており、メイントランス２１の２次側コイルとアース線２５の間に、順方向にダイオードＤ２が挿入されている。逓倍回路２４はダイオードＤ３〜Ｄ１１とコンデンサーＣ２〜Ｃ１０を直列に積み重ねるように接続したもので、図例では９段階の電圧増幅が行われる構成である。なお、上記ダイオード度Ｄ２と直列にコンデンサーＣ１が接続されているが、これは整流のために挿入したものである。
【００１５】
また、２６はマイナスイオンの放電のための放電極を示す。図１に示されているコンデンサーＣ１〜Ｃ１０、ダイオードＤ１〜Ｄ１１、抵抗Ｒ１〜Ｒ３などの記号及び符号は図２のものと対応している。このように構成されている直流電源に通じるポンピング回路、電圧安定化回路、メイントランス逓倍回路は回路基盤２７の１面に取り付けられており、かつこれらの回路素子の間のすべての空所に絶縁性を樹脂を充填した状態にある。
【００１６】
本発明に係る装置１０において、電源部１１に所要の電力が供給されると、電圧安定化回路２３により安定した電圧を有する電流が形成され、２個のトランジスターＱ１、Ｑ２より成るポンピング回路２２において、トランジスターＱ１、Ｑ２のポンピング動作により変動電流が発生し、この変動電流に基いてメイントランス２１の２次側コイルの両端
に、メイントランス２１のコイルの巻線比に応じた高電圧が発生する。この高電圧は逓倍回路２４においてさらに倍々に増幅され、それが９段階にわたって繰り返される結果、著しく高圧の直流電圧が得られ、放電極２６からマイナスイオンを安定して生成することができる。なお、メイントランス２１の２次側にはダイオードＤ２とコンデンサーＣ１とを設けているので、２次側電圧のスタート電圧安定化を図ることができる。
【００１７】
本発明に係る装置は、２個のトランジスターＱ１、Ｑ２によりポンピング回路２２を形成し、これにダイオードＤと抵抗Ｒ、コンデンサーＣ及び極小型のトランスＴを使用して構成されるので、鉄道切符程度の大きさの基盤２７の上にまとめられる。また、各構成素子間には絶縁性の樹脂が充填されるので、装置性能の安定化に寄与し、高強度の装置を提供することができる。
【図面の簡単な説明】
【００１８】
【図１】本発明に係るマイナスイオン発生装置の１例を示す配線図。
【図２】同上要部の回路図。
【符号の説明】
【００１９】
１０  マイナスイオン発生装置
１１  電源部
１２  ＡＣ／ＤＣ切り換えスイッチ
１６  送風ファン
２１  メイントランス
２２  ポンピング回路
２３  電圧安定化回路
２４  逓倍回路
２５  アース線
２６  放電極
２７  基盤
【図１】
2007073486.tif 000003
【図２】
2007073486.tif 000004